(57)【要約】      （修正有）【課題】心拍数に応じて抗力を調整するスマートリハビリテーションシステムを提供する。【解決手段】心拍数検出装置１及び心肺トレーニング装置２及び表示及び制御装置３を備え、前記心拍数検出装置はユーザーの心拍数を検出するために用いている。前記心肺トレーニング装置は抗力部２０及び中央制御部２１を含む。前記抗力部は前記ユーザーに抗力を出力するために用い、前記中央制御部は前記心拍数検出装置に信号が接続していると共に前記抗力部に電気的に接続し、前記中央制御部は前記心拍数検出装置により検出された前記ユーザーの心拍数に基づいて前記抗力部が出力する抗力を調整するように配置されている。前記表示及び制御装置は前記中央制御部に信号が接続し、前記ユーザーのリアルタイム心拍数を表示すると共に前記抗力部が出力する抗力を制御する。【選択図】図１
0003234014.tif 000002
【実用新案登録請求の範囲】
【請求項１】
心拍数に応じて抗力を調整するスマートリハビリテーションシステムであって、
ユーザーの心拍数を検出するための心拍数検出装置と、
抗力部及び中央制御部を含み、前記抗力部は前記ユーザーに抗力を出力するために用いられ、前記中央制御部は前記心拍数検出装置に信号接続していると共に前記抗力部に電気的に接続し、前記中央制御部は前記心拍数検出装置により検出された前記ユーザーの心拍数に基づいて前記抗力部が出力する抗力を調整するように配置されている心肺トレーニング装置と、
前記中央制御部に信号接続し、前記ユーザーのリアルタイム心拍数を表示すると共に前記抗力部が出力する抗力を制御するために用いられる表示及び制御装置と、を備えていることを特徴とするスマートリハビリテーションシステム。
【考案の詳細な説明】
【技術分野】
【０００１】
本考案は、リハビリテーションシステムに関し、更に詳しくは、心拍数に応じて抗力を調整するスマートリハビリテーションシステムに関する。
【背景技術】
【０００２】
手術後の療養中の患者は長期間運動を行わないために心肺機能が著しく低下するため、心肺のリハビリテーションが必要であった。従来の心肺のリハビリテーション方式の多くはフライホイールエアロバイク（登録商標）、ランニングマシン等の器材をユーザーに提供し、リハビリテーション療法士がユーザーの回復程度を見ながら抗力を調整し、ユーザーの心肺機能を持続的に高めるようにしている。例えば、同じ抗力でユーザーの心拍数が低下していることを確認した場合、抗力を高めるように調整する。
【考案の概要】
【考案が解決しようとする課題】
【０００３】
しかしながら、前述した従来の技術では、複数のユーザーのリハビリテーションを行う場合、リハビリテーション療法士が全ての患者を見ながら必要な調整を行うことができなくなることがあった。
【０００４】
そこで、本考案者は上記の欠点が改善可能と考え、鋭意検討を重ねた結果、合理的設計で上記の課題を効果的に改善する本考案の提案に至った。
【０００５】
本考案者は、鋭意研究した結果、検出された心拍数に基づいて心肺トレーニング装置が出力する抗力を自動的に調整することで、リハビリテーション療法士が複数のユーザーを同時に管理しやすくする心拍数に応じて抗力を調整するスマートリハビリテーションシステムを提供することを見出した。
【課題を解決するための手段】
【０００６】
上記目的を達成するための主たる考案は、
ユーザーの心拍数を検出するための心拍数検出装置と、
抗力部及び中央制御部を含み、前記抗力部は前記ユーザーに抗力を出力するために用い、前記中央制御部は前記心拍数検出装置に信号接続していると共に前記抗力部に電気的に接続し、前記中央制御部は前記心拍数検出装置により検出された前記ユーザーの心拍数に基づいて前記抗力部が出力する抗力を調整するように配置されている心肺トレーニング装置と、
前記中央制御部に信号接続し、前記ユーザーのリアルタイム心拍数を表示すると共に前記抗力部が出力する抗力を制御するために用いている表示及び制御装置と、を備えていることを特徴とする心拍数に応じて抗力を調整するスマートリハビリテーションシステムである。
【０００７】
本考案の好適例において、前記スマートリハビリテーションシステムは表示及び制御装置をさらに備えている。前記表示及び制御装置は前記中央制御部に信号接続し、前記ユーザーのリアルタイム心拍数を表示すると共に前記抗力部が出力する抗力を制御するために用いられている。
【０００８】
本考案の好適例において、前記表示及び制御装置は前記心肺トレーニング装置に設置され、回路を介して前記中央制御部に電気的に接続している。
【０００９】
本考案の好適例において、前記表示及び制御装置はモバイル装置であり、ワイヤレス信号により前記中央制御部に信号接続している。
【００１０】
本考案の好適例において、前記表示及び制御装置は複数の心肺トレーニング装置の中央制御部に信号接続するように配置されている。
【００１１】
本考案の好適例において、前記中央制御部は、前記抗力部が出力する抗力を調整して前記ユーザーの心拍数を目標心拍数に保持するためのアルゴリズムを内蔵している。
【００１２】
本考案の好適例において、前記心拍数検出装置は前記ユーザーの身体に装着するウェアラブル装置であり、前記ウェアラブル装置はワイヤレス信号により前記中央制御部に信号接続している。
【００１３】
本考案の好適例において、前記心拍数検出装置は前記心肺トレーニング装置の中央制御部に統合され、前記心拍数検出装置は前記中央制御部から延伸している複数の回路及びこれら前記回路の末端にそれぞれ接続している複数のパッチを備えている。
【００１４】
本考案の好適例において、前記心肺トレーニング装置はフライホイールエアロバイクである。
【００１５】
本考案の好適例において、前記心肺トレーニング装置はランニングマシンである。
【考案の効果】
【００１６】
これにより、本考案に係る心拍数に応じて抗力を調整するスマートリハビリテーションシステムは、検出された心拍数に基づいて心肺トレーニング装置が出力する抗力を自動的に調整することで、リハビリテーション療法士が複数のユーザーを同時に管理しやすくなる。
【図面の簡単な説明】
【００１７】
【図１】本考案の一実施例に係る心拍数に応じて抗力を調整するスマートリハビリテーションシステムを示す概略構成図（一）である。
【図２】本考案の一実施例に係る心拍数に応じて抗力を調整するスマートリハビリテーションシステムを示す概略構成図（二）である。
【図３】本考案の一実施例に係る心肺トレーニング装置と表示及び制御装置を示す概略構成図（一）である。
【図４】本考案の一実施例に係る心肺トレーニング装置と表示及び制御装置を示す概略構成図（二）である。
【図５】本考案の一実施例に係る表示及び制御装置と複数の心肺トレーニング装置を示す概略構成図である。
【図６】本考案の一実施例に係る心拍数装置を示す概略図である。
【図７】本考案の一実施例に係る心拍数装置を内蔵している心肺トレーニング装置を示す概略図である。
【考案を実施するための形態】
【００１８】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。ちなみに、以下の実施例で述べる上、下、左、右、前、後等の方向用語は、添付図面の方向を参照するためのものにすぎない。よって、使用している方向用語は説明のために用いているにすぎず、本考案を制限するものではない。
【００１９】
図１は本考案の一実施例に係る心拍数に応じて抗力を調整するスマートリハビリテーションシステム１００を示す概略構成図（一）である。心拍数に応じて抗力を調整するスマートリハビリテーションシステム１００は心拍数検出装置１及び心肺トレーニング装置２を備えている。前記心拍数検出装置１はユーザーの心拍数を検出するために用いられている。前記心肺トレーニング装置２は抗力部２０及び中央制御部２１を含む。前記抗力部２０は前記ユーザーに抗力を出力するために用いられ、前記中央制御部２１は前記心拍数検出装置１に信号接続していると共に前記抗力部２０に電気的に接続し、前記中央制御部２１は前記心拍数検出装置１により検出された前記ユーザーの心拍数に基づいて前記抗力部２０が出力する抗力を調整するように配置されている。前記中央制御部２１はアルゴリズムを内蔵しているパソコン、マイクロコンピュータ、または基板であり、前記抗力部２０が出力する抗力を調整して前記ユーザーの心拍数を目標心拍数に保持するが、但しこれらに限られない。前記心肺トレーニング装置の抗力部２０は磁気制御装置であるが、但しこの限りではない。
【００２０】
これにより、本考案に係る心拍数に応じて抗力を調整するスマートリハビリテーションシステム１００は検出された心拍数に基づいて心肺トレーニング装置の抗力を自動的に調整することで、リハビリテーション療法士が複数のユーザーを同時に管理しやすくしている。
【００２１】
図１、図２及び図４に示されるように、一実施例では、前記スマートリハビリテーションシステム１００は表示及び制御装置３をさらに備えている。前記表示及び制御装置３は前記中央制御部２１に信号接続し、本実施例では、前記表示及び制御装置３は前記心肺トレーニング装置に設置され、回路（不図示）を介して前記中央制御部２１に電気的に接続しているが、但しこれに限られない。図２及び図４に示されるように、前記心肺トレーニング装置２はそれぞれフライホイールエアロバイク及びランニングマシンであるが、但しこれらに限定されず、前記心肺トレーニング装置２が心肺機能をトレーニング可能な他のエクササイズ装置であってもよい。前記表示及び制御装置３はリハビリテーション療法士が抗力値を手動で設定でき、且つユーザーのリハビリテーション中にユーザーのリアルタイム心拍数が目標心拍数に達したか否かを表示する。これにより、ユーザーに目標を提供してリハビリテーションの楽しさを高めている。
【００２２】
図１及び図３に示されるように、一実施例では、前記表示及び制御装置３はモバイル装置であり、ワイヤレス信号により前記中央制御部２１に信号接続している。前記表示及び制御装置３は携帯電話やタブレット端末のようなモバイル装置である。前記ワイヤレス信号はブルートゥース（登録商標）や他のワイヤレス通信プロトコルである。前記表示及び制御装置３はリハビリテーション療法士が心肺トレーニング装置２に接続するためのアプリケーションプログラムがインストールされている携帯電話でもよく、これにより、リハビリテーション療法士がユーザーの心拍数の状況を随時把握可能となっている。また、前記表示及び制御装置３はユーザーの携帯電話でもよく、ユーザーがリハビリテーションを行う際に心肺トレーニング装置２の計器盤または固定フレーム（不図示）に設置する。リハビリテーション療法士及びユーザーの携帯電話には心肺トレーニング装置２に接続するためのアプリケーションプログラムがインストールされ、但し、アプリケーションプログラムにリハビリテーション療法士のアカウントのみを設定して心拍数の調整を行うことで危険性を回避している。
【００２３】
また、図１及び図５に示されるように、一実施例では、前記表示及び制御装置３は複数の心肺トレーニング装置２の中央制御部２１に信号接続するように配置されている。例えば、リハビリテーション療法士がアプリケーションプログラムがインストールされた携帯電話を使用して複数のユーザーが心肺トレーニング装置２を使用する状況を監視し、且つ状況を見ながら遠隔から各心肺トレーニング装置２の抗力部２０が出力する抗力を調整可能である。
【００２４】
また、図１及び図３に示されるように、一実施例では、前記心拍数検出装置３は前記ユーザーの身体に装着する心拍数モニターブレスレットのようなウェアラブル装置であるが、但しこれに限られない。前記心拍数検出装置３はユーザーの心拍数を光学的に検出し、且つブルートゥース等のワイヤレス信号により前記中央制御部２１に信号接続している。      
【００２５】
また、図１及び図７に示されるように、一実施例では、前記心拍数検出装置３は前記心肺トレーニング装置２に統合されている。前記心拍数検出装置１は前記中央制御部から延伸している複数の回路１０及びこれら前記回路の末端にそれぞれ接続している複数のパッチ１１を備え、ユーザーの心拍数を検出する。
【００２６】
本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は特許請求の範囲によって示すものであって、明細書本文には何ら拘束されない。更に、実用新案登録請求の範囲の均等範囲に属する変形や変更は、すべて本考案の範囲内のものである。
【符号の説明】
【００２７】
１  心拍数検出装置
１０  回路
１１  パッチ
１００  心拍数に応じて抗力を調整するスマートリハビリテーションシステム
２  心肺トレーニング装置
２０  抗力部
２１  中央制御部
３  表示及び制御装置
【図１】
0003234014.tif 000003
【図２】
0003234014.tif 000004
【図３】
0003234014.tif 000005
【図４】
0003234014.tif 000006
【図５】
0003234014.tif 000007
【図６】
0003234014.tif 000008
【図７】
0003234014.tif 000009